(57)【要約】【課題】  簡単かつ廉価な構成により、塵などの侵入や不正操作を防止でき、通信条件の設定操作も簡単に行い得るように、通信条件設定器が制御器に搭載されている遊技台用台間機を提案すること。【解決手段】  遊技台用台間機１０の制御器５０には通信条件設定器６０が内蔵され、その操作面６１が制御器５０に形成した制御器側開口部５３および台間機本体３０に形成した台間機本体側開口部３３を介して外部からアクセス可能である。台間機ホルダ２０に台間機本体３０を装着すると台間機本体側開口部３３が台間機ホルダ２０によって封鎖され、制御器内部への塵などの侵入、通信条件設定器６０の不正操作が防止される。台間機ホルダ２０から引き抜くと、台間機本体側開口部３３が露出し、制御器内部の通信条件設定器６０の操作面６１にアクセス可能になり、通信条件の設定作業を簡単に行うことができる。【選択図】  図３
2006081708.tif 000002
【特許請求の範囲】
【請求項１】
台間機ホルダと、
前記台間機ホルダに装着されている台間機本体と、
前記台間機本体に搭載されている制御器と、
前記制御器と上位装置の間の通信条件を設定するための複数の手動操作部材が配列された操作面を備えた通信条件設定器と、
前記制御器に形成した制御器側開口部と、
前記台間機本体に形成した台間機本体側開口部とを有し、
前記通信条件設定器は前記制御器に内蔵されており、
前記台間機本体側開口部は、前記台間機本体が前記台間機ホルダに装着されている状態では当該台間機ホルダによって封鎖され、当該台間機ホルダから引き抜くと外部に露出し、
前記台間機本体側開口部が外部に露出した状態では、当該台間機本体側開口部および前記制御器側開口部を介して外側から前記手動操作部材を操作可能であることを特徴とする遊技台用台間機。
【請求項２】
請求項１において、
前記台間機本体側開口部は、前記台間機本体の側面に形成されていることを特徴とする遊技台用台間機。
【請求項３】
請求項１において、
前記制御器側開口部の隣接位置に形成された前記通信条件設定器の設定内容説明部を有しており、
前記台間機本体側開口部は前記操作面および前記設定内容説明部を包含する大きさの開口部であることを特徴とする遊技台用台間機。
【請求項４】
請求項３において、
前記制御器は、前記制御器側開口部および前記設定内容説明部が形成されているカバーシートを有しており、
前記設定内容説明部は前記カバーシートに印刷されたものであることを特徴とする遊技台用台間機。
【請求項５】
請求項４において、
前記カバーは合成樹脂製の透明シートを備えており、
前記透明シートにおける前記制御器内部に面している裏面に前記設定内容説明部が印刷されていることを特徴とする遊技台用台間機。
【発明の詳細な説明】
【技術分野】
【０００１】
本発明は、パチンコ玉などの遊技媒体の貸し出しを行うための遊技台に隣接配置されている遊技台用台間機に関し、特に、上位装置との間の通信条件を設定するための通信条件設定器が制御器に内蔵されている遊技台用台間機に関するものである。
【背景技術】
【０００２】
パチンコ店などの遊技店においては一般にパチンコ玉などの遊技媒体の貸し出しを行うための多数台の遊技台用台間機が各遊技台の間に配置されており、これらの遊技台用台間機での売上金額の集計管理、入金情報などの管理は、上位の管理コンピュータにおいて行うように通信システムが構築されている。各遊技台用台間機には、上位の管理コンピュータの通信条件に合致した通信条件を設定できるように、通信用のインターフェース回路の設定を変更可能な通信条件設定器が搭載されている。
【０００３】
インターフェース回路の設定には、例えば、断線検知抵抗の抵抗値、通信出力のパルス幅、出力形式(リレーの接点構成)等がある。これらを上位装置に合致するように、通信条件設定器の操作面に配列されているディップスイッチなどの手動操作部材を切り換えるように構成されている。
【０００４】
従来においては、通信条件設定器が台間機の電源部(ジャンクションボックス)やリレーボード(中継器)に搭載されたものが知られている。例えば、下記の特許文献１においては、遊技台用台間機の裏面側に接続コードなどを介して、通信条件設定器が搭載されたジャンクションボックスが接続された構成のものが開示されている。
【特許文献１】特開平３−２９５５８５号公報
【発明の開示】
【発明が解決しようとする課題】
【０００５】
しかしながら、電源部やリレーボードに通信条件設定器が搭載された構成の遊技台用台間機においては、遊技台用台間機の制御器から上位側に売上データなどを送信する場合に、接続コードを介して、電源部やリレーボードに搭載されている通信条件設定器を経由して、設定された通信条件に合致する形態で信号が送信される。したがって、通信経路が複雑になり、また、接続コードなどを介して侵入する外部ノイズの影響を受けやすいという問題点がある。外部ノイズの影響を抑制するために、接続コードに電磁シールドコードを用いるなどの対策を施すと、コスト高になるという問題が発生する。
【０００６】
そこで、遊技台用台間機の制御器に直接に通信条件設定器を搭載することが考えられる。しかし、この場合には、通信条件の設定操作のために、外部から制御器内の通信条件設定器の操作面にアクセスできるように、制御器カバーなどに開口部を形成する必要がある。制御器カバーに開口部が露出状態のままであると、そこから塵などが侵入するおそれがあり、また、設定後(運用時)において、遊技者などによって不正に操作されるおそれがある。
【０００７】
よって、開口部には開閉蓋を取り付けるなどの工夫が必要になるが、開閉蓋などの開閉機構およびそのロック機構を付けると、その分、コスト高を招き、また、制御器の設置スペースも増加してしまう。さらには、通信条件の設定に当っては、ロックを解除して開閉蓋を開け、設定を行い、開閉蓋を閉じて、開閉蓋を再びロックする操作が必要になり、設定作業が煩雑になり手間も掛かる。
【０００８】
本発明の課題は、このような点に鑑みて、簡単かつ廉価な構成により、塵などの侵入や不正操作を防止でき、しかも、通信条件の設定操作も簡単に行うことのできるように、通信条件設定器が制御器に搭載されている遊技台用台間機を提案することにある。
【課題を解決するための手段】
【０００９】
上記の課題を解決するために、本発明の遊技台用台間機は、
台間機ホルダと、
前記台間機ホルダに装着されている台間機本体と、
前記台間機本体に搭載されている制御器と、
前記制御器と上位装置の間の通信条件を設定するための複数の手動操作部材が配列された操作面を備えた通信条件設定器と、
前記制御器に形成した制御器側開口部と、
前記台間機本体に形成した台間機本体側開口部とを有し、
前記通信条件設定器は前記制御器に内蔵されており、
前記台間機本体側開口部は、前記台間機本体が前記台間機ホルダに装着されている状態では当該台間機ホルダによって封鎖され、当該台間機ホルダから引き抜くと外部に露出し、
前記台間機本体側開口部が外部に露出した状態では、当該台間機本体側開口部および前記制御器側開口部を介して外側から前記手動操作部材を操作可能であることを特徴としている。
【００１０】
本発明の遊技台用台間機では、制御器に通信条件設定器が内蔵されており、その操作面は、制御器に形成した制御器側開口部および台間機本体に形成した台間機本体側開口部を介して外部からアクセス可能である。台間機ホルダに台間機本体が装着されている状態(運用状態)では、台間機本体側開口部が台間機ホルダによって封鎖されている。したがって、開閉蓋などを取り付けて開口部を封鎖することなく、外部から、台間機本体側開口部および制御器側開口部を介して制御器内部に塵などが侵入することを防止できる。また、遊技者などの部外者によって通信条件設定器が操作されてしまうことも防止できる。
【００１１】
通信条件の設定時などにおいて、台間機本体を台間機ホルダから引き抜くと、台間機本体側開口部が露出し、ここから、制御器内部の通信条件設定部の操作面にアクセス可能になる。よって、当該操作面にアクセスするために開閉蓋を開けるなどの操作が不要であり、通信条件の設定作業を簡単に行うことができる。
【００１２】
ここで、前記台間機本体側開口部は、台間機本体を台間機ホルダに装着した状態において当該台間機ホルダによって覆い隠される台間機本体の側面部分に形成しておけばよい。
【００１３】
また、通信条件設定器の操作面には、その設定内容が表示された設定内容説明部が配置され、操作者は当該設定内容説明部を見ながら、操作面上の各手動操作部材を操作して通信条件を設定している。したがって、前記台間機本体側開口部を、前記操作面および前記設定内容説明部を包含する大きさの開口部とし、外側から、当該設定内容説明部も目視できるようにすることが望ましい。
【００１４】
この場合、前記制御器のカバーに前記制御器側開口部を形成すると共に、当該カバーの表面に前記設定内容説明部を印刷しておけばよい。このようにすれば、設定内容説明部が印刷されたシールなどの別部材を製作して貼り付ける必要がなくなる。ここで、前記カバーとして合成樹脂製の透明シートを備えたものを用いた場合には、当該透明シートにおける前記制御器内部に面している裏面に前記設定内容説明部を印刷しておけばよい。
【発明の効果】
【００１５】
本発明の遊技台用台間機では、その台間機本体に搭載されている制御器に通信条件設定器を組み込み、その操作面を、制御器側開口部および台間機本体側開口部を介して外側からアクセスできるようにしてある。また、台間機本体を台間機ホルダに装着した状態では、制御器側開口部が台間機ホルダによって覆い隠されるようにしてある。
【００１６】
したがって、本発明によれば、通信条件設定器の操作面に外部からアクセスするために形成した開口部に開閉蓋、そのロック機構などを設けることなく、塵などの侵入および不正操作を防止できる。また、台間機本体を台間機ホルダから引き抜くと、制御器内の通信条件設定器の操作面に外部からアクセス可能な状態になるので、設定作業も極めて簡単になる。
【発明を実施するための最良の形態】
【００１７】
以下に、図面を参照して、本発明を適用した実施の形態を説明する。図１は本実施の形態に係る遊技システムを示す部分正面図である。遊技システム１の基本的な構成は一般的なものであり、遊技店(図示せず)内において複数列配置された遊技島２を有し、各遊技島２は、遊技島取付枠３と、この遊技島取付枠３に沿って取り付けられた複数の遊技ユニット４とを備えている。各遊技ユニット４は、パチンコ台やスロット台などの遊技台５と、遊技台５の左側に隣接配置されている遊技台用台間機１０とを備えている。各遊技島２の各遊技ユニット４は島中継器７および通信回線８を介して遊技店の管理コンピュータ装置９(上位装置)に接続されている。
【００１８】
図２(ａ)および(ｂ)は、遊技台用台間機１０の側面図、および、その台間機本体を台間機ホルダから所定量だけ引き抜いた状態を示す側面図である。これらの図に示すように、遊技台用台間機１０は、遊技島取付枠３に固定されている台間機ホルダ２０と、この台間機ホルダ２０に対して前方から水平に差し込み固定可能な台間機本体３０から構成されている。
【００１９】
台間機ホルダ２０は、背面板部分２１ａおよび両側の側面板部分２１ｂ、２１ｃからなるコの字状断面の縦枠２１と、この縦枠２１の上下の端から前方に水平に延びている上側水平枠２２および下側水平枠２３とを備えている。これらの枠２２、２３の間に、前方から台間機本体３０が差し込まれて固定されている。
【００２０】
台間機本体３０、縦長の扁平な箱型のシャーシ３１を備え、このシャーシ３１にはカードリーダライタ、カードストッカ(収納部)、紙幣識別機などの各部と、これらの駆動制御を司る制御器５０とが取り付けられている。また、シャーシ３１の前面には前面パネル４１が取り付けられている。前面パネル４１には、図１に示すように、その上側から順に、状態表示ランプ４２、紙幣挿入口４３、表示部４４および操作部４５、カード挿入用のスロット４６などが配置されている。
【００２１】
制御器５０はマイクロコンピュータを中心に構成されており、台間機ホルダ２０の縦枠２１の背面側に取り付けられている通信用の中継器４７を介して、隣接の遊技台および上位の管理コンピュータ９に接続されている。例えば、遊技台用台間機１０での売上データなどの情報が中継器４７を経由して管理コンピュータ９に送信され、そこで集計される。
【００２２】
図３(ａ)は図２(ｂ)における制御器５０が内蔵されている部分を拡大して示す拡大部分側面図であり、図３(ｂ)および(ｃ)は図３(ａ)におけるｂ−ｂ線およびｃ−ｃ線で切断した部分の部分断面図である。また、図４(ａ)は制御器５０を示す斜視図であり、図４(ｂ)はその裏面側に取り付けられているカバーシートの一部を示す部分拡大図である。
【００２３】
これらの図を参照して説明すると、本例の制御器５０は、一方の側面が開口している扁平な直方体形状をした板金製のユニットケース５１と、このユニットケース５１の側面開口部を封鎖している合成樹脂製のカバーシート５２とを備え、これらの内部に、各種の電子部品が搭載されている。本例では、管理コンピュータ９との間で通信を行うことができるように、当該管理コンピュータ９の通信条件に合致する通信条件を設定するための通信条件設定器６０も内蔵されている。通信条件設定器６０の操作面６１には複数個のディップスイッチなどからなる第１スイッチ群６２および第２スイッチ群６３が配列されている。
【００２４】
通信条件設定器６０は、その操作面６１が制御器５０のカバーシート５２の裏面に対峙するように組み込まれている。制御器５０のカバーシート５２における操作面６１に対峙している部位には、当該操作面６１を包含する細長い長方形の制御器側開口部５３が形成されている。また、カバーシート５２における制御器側開口部５３に隣接している表面部分は、第１、第２スイッチ群６２、６３による設定内容を表す設定内容説明表５４、５５が印刷された設定内容説明部となっている。
【００２５】
カバーシート５２は、例えば、図３(ｃ)から分かるように、合成樹脂製の透明シート５２ａと、この透明シート５２ａの裏面(制御器内部に面している側の面)に積層された黒色などの絶縁性塗膜層５２ｂとを含む多層構造のものである。設定内容説明表５４、５５は、例えば、透明シート５２ａの裏面に白色塗料により印刷され、絶縁性塗膜層５２ｂによって覆われている。
【００２６】
次に、通信条件設定器６０が内蔵されている制御器５０は、台間機本体３０のシャーシ３１における一方の側面部分３２の内側表面に、そのカバーシート５２が対峙する状態で固定ねじなどの締結金具によって取り付けられている。シャーシ３１の側面部分３２には、カバーシート５２に形成した制御器側開口部５３および設定内容説明表５４、５５を包含する大きさの台間機本体側開口部３３が形成されている。この台間機本体側開口部３３は、図２、３から分かるように、台間機本体３０を台間機ホルダ２０に装着した状態では、台間機ホルダ２０の縦枠２１における一方の側面板部分２１ｂによって覆い隠される位置に形成されている。
【００２７】
このように構成した本例の遊技台用台間機１０において、通信条件の設定あるいは変更を行う場合には、台間機ホルダ２０から台間機本体３０を前方に引き抜く。台間機本体３０を前方に引くと、台間機ホルダ２０の縦枠側面板部分２１ｂによって覆い隠されていた台間機本体側開口部３３および設定内容説明表５４、５５が露出する。この結果、図３に示すように、外部から、台間機本体３０に搭載された制御器５０に内蔵されている通信条件設定器６０の操作面６１にアクセス可能になる。よって、操作者は、設定内容説明表５４、５５を目視しながら、露出した操作面６１に配列されている第１、第２スイッチ群６２、６３を操作して、通信条件の設定あるいは変更を行うことができる。
【００２８】
通信条件の設定あるいは変更の操作が終了した後は、台間機ホルダ２０に台間機本体３０を装着する。この結果、台間機本体側開口部３３が台間機ホルダ２０の縦枠側面板部分２１ｂによって再び覆い隠された状態に戻る。一般に、台間機本体３０と台間機ホルダ２０の間にはロック機構が構成されており、不正に台間機本体３０が引き出されないようになっている。
【００２９】
したがって、台間機本体３０が遊技者などの部外者によって引き出されることはない。よって、台間機側開口部３３が外部に露出することがないので、台間機側開口部３３および制御器側開口部５３を介して、外部から塵などの異物が制御器内部に侵入することを防止できる。また、遊技者などの部外者が通信条件設定器６０を不正に操作することも確実に防止できる。
【００３０】
さらに、通信条件の設定、変更作業においては、台間機ホルダ２０から台間機本体３０を引き抜けば、自動的に、制御器内蔵の通信条件設定器６０の操作面６１に外部からアクセス可能な状態が形成される。よって、作業が極めて簡単になる。
【００３１】
次に、本例の遊技台用台間機１０においては、その台間機本体３０のシャーシ３１における側面部分３２に、台間機側開口部３３と共に、売上表示ランプ用の開口部３４が形成されている。シャーシ３１に取り付けられている制御器５０のカバーシート５２には、当該開口部３４に対峙する部位に透明な窓５６が形成されている。透明な窓５６は、カバーシート５２において、絶縁塗膜層５２ｂが形成されてない透明シート５２ａの部分によって規定されている。制御器５０の内部には、透明な窓５６に対峙する状態で売上表示ランプ５７が配置されている(図３(ｃ)参照)。
【００３２】
売上表示ランプ５７は例えばＬＥＤランプであり、遊技台用台間機１０に、未処理の売上金額が残っている場合に点灯する。例えば、紙幣が挿入されて売上金額が計上された直後に、故障状態に陥り、遊技媒体の払い出し、あるいは貸し出し処理が終了する前に、台間機本体３０が引き抜かれた場合に、売上表示ランプ５７が点灯状態になる。
【００３３】
台間機本体３０を台間機ホルダ２０から引き抜くと、その側面部分３２に形成されている開口部３４から、制御器カバーシートの透明な窓を介して、売上表示ランプ５７の状態を目視により確認できる。よって、台間機本体３０を引き抜いた際に、遊技台用台間機１０の動作状態を確認できるので、以後の対応を迅速かつ正確に行うことができるので、便利である。
【図面の簡単な説明】
【００３４】
【図１】本発明を適用した遊技台用台間機を備えた遊技システムを示す説明図である。
【図２】(ａ)は図１の遊技台用台間機の側面図であり、(ｂ)はその台間機本体を台間機ホルダから所定量だけ引き抜いた状態あるいは装着前の状態を示す側面図である。
【図３】(ａ)は図２(ｂ)における制御器が内蔵されている部分を拡大して示す拡大部分側面図であり、(ｂ)および(ｃ)は(ａ)におけるｂ−ｂ線およびｃ−ｃ線で切断した部分の部分断面図である。
【図４】(ａ)は制御器を示す斜視図であり、(ｂ)はその裏面側に取り付けられているカバーシートの一部を示す部分拡大図である。
【符号の説明】
【００３５】
１  遊技システム、５  遊技台、１０  遊技台用台間機、２０  台間機ホルダ、２１  縦枠、２１ｂ  側面板部分、３０  台間機本体、３１  シャーシ、３２  側面部分、３３  台間機本体側開口部、３４  開口部、５０  制御器、５１  ユニットケース、５２  カバーシート、５２ａ  透明シート、５２ｂ  絶縁塗膜層、５３  制御器側開口部、５４，５５  設定内容説明表、５６  透明な窓、５７  売上表示ランプ
【図１】
2006081708.tif 000003
【図２】
2006081708.tif 000004
【図３】
2006081708.tif 000005
【図４】
2006081708.tif 000006